(57)【特許請求の範囲】
【請求項１】
情報面の裏面に印字面を備える可撓性の薄型シート媒体を載置させる硬質性の基部を有し、当該基部に薄型シート媒体を載置させたときに、当該薄型シート媒体の印字面側及び情報面側の何れか一方側より視認可能な識別手段が設けられるカードプリンタ用アタッチメントに、上記薄型シート媒体を装着させたアタッチメント一体カードを用いて当該薄型シート媒体の印字面にカードプリンタにより印字させるカードプリンタ用アタッチメントを用いた印字方法であって、
前記アタッチメント一体カードが供給されるステップと、
前記アタッチメント一体カードにおける前記薄型シート媒体の印字面側及び情報面側の少なくとも一方側を撮像させるステップと、
撮像された画像に基づいて、前記カードプリンタ用アタッチメントに設けられた前記識別手段を認識し、装着された前記薄型シート媒体の印字面が前記基部側に装着されているのではなく、且つ、当該印字面が前記カードプリンタの備える印字部の配置側に位置されているか否かを判別させるステップと、
前記薄型シート媒体の印字面が前記基部側に装着されているのではなく、且つ、当該印字面が前記カードプリンタの備える印字部の配置側に位置されていると判別されたときに、当該薄型シート媒体の印字面に所定情報を印字させるステップと、
を含むことを特徴とするカードプリンタ用アタッチメントを用いた印字方法。
【発明の詳細な説明】
【技術分野】
【０００１】
本発明は、可撓性の薄型シート媒体に対してカードプリンタで印字するためのカードプリンタ用アタッチメントを用いて印字する印字方法に関する。
【背景技術】
【０００２】
近年、一般に使用されているカードは、その使用形態に応じて、紙媒体のカードからＩＣチップを備える接触型、非接触型のＩＣカードまで種々存在する。一方、カードには所持者の情報が表示記載され、この情報が変更された場合には追加情報を含む変更情報を裏面にプリンタで印字することも行われている。そのため、可撓性の薄型シート媒体に対しても確実に印字できることが望まれる。
【０００３】
従来、既存のカードに追加情報などを印刷するものとして特許文献１に記載されているゲーム装置が知られている。特許文献１には、ゲームに使用されるカードとしてキャラクタやその属性などの印刷領域と後に印刷される追加印刷領域が設けられたものであり、当該カードが挿入口より挿入され、最初に鑑別装置で不正情報が印刷されていないかを鑑別し、真正のときにＣＣＤでカード全体を撮像し、印刷装置で追加印刷領域に追加情報を印刷する構成の装置が記載されている。
【先行技術文献】
【特許文献】
【０００４】
【特許文献１】特開２００９−０３４４１２号公報
【発明の概要】
【発明が解決しようとする課題】
【０００５】
ところで、印字を対象とするカードは、プリンタ内での搬送に支障を来たさないように、硬質部材で構成し、また、可撓性の薄型シート媒体の一面（印字面ではない面）をラミネートなどにより硬質化させ、さらには可撓性の薄型シート媒体の両面をラミネートして印字面となる面に紙類などを貼り付けたものが一般的であり、上記特許文献１に使用されるカードも同様である。しかしながら、カードを硬質部材で構成し、薄型シート媒体にラミネート処理などを施すことは、特に大量のカードを発行する場合などでコスト高を招くことになるという問題がある。
【０００６】
また、硬質性のカードに印字するカードプリンタで薄型のカードを印字しようとすると、厚さの差で印字面と印字ヘッドとに距離を有することとなって確実に印字することができず、当該印字ヘッドを厚さに応じて上下動させる機構を設けることは大型化を招くと共に、コスト高になるという問題ある。
【０００７】
そこで、本発明は上記課題に鑑みなされたもので、印字を対象とする薄型シート媒体に対して印字時での搬送支障を回避し、印字面を特定可能として確実な印字を可能とするカードプリンタ用アタッチメントを用いた印字方法を提供することを目的とする。
【課題を解決するための手段】
【００１０】
上記課題を解決するために、請求項１の発明では、情報面の裏面に印字面を備える可撓性の薄型シート媒体を載置させる硬質性の基部を有し、当該基部に薄型シート媒体を載置させたときに、当該薄型シート媒体の印字面側及び情報面側の何れか一方側より視認可能な識別手段が設けられるカードプリンタ用アタッチメントに、上記薄型シート媒体を装着させたアタッチメント一体カードを用いて当該薄型シート媒体の印字面にカードプリンタにより印字させるカードプリンタ用アタッチメントを用いた印字方法であって、前記アタッチメント一体カードが供給されるステップと、前記アタッチメント一体カードにおける前記薄型シート媒体の印字面側及び情報面側の少なくとも一方側を撮像させるステップと、撮像された画像に基づいて、前記カードプリンタ用アタッチメントに設けられた前記識別手段を認識し、装着された前記薄型シート媒体の印字面が前記基部側に装着されているのではなく、且つ、当該印字面が前記カードプリンタの備える印字部の配置側に位置されているか否かを判別させるステップと、前記薄型シート媒体の印字面が前記基部側に装着されているのではなく、且つ、当該印字面が前記カードプリンタの備える印字部の配置側に位置されていると判別されたときに、当該薄型シート媒体の印字面に所定情報を印字させるステップと、を含む構成とする。
【発明の効果】
【００１３】
請求項１の発明によれば、カードプリンタ用アタッチメントに薄型シート媒体を装着させたアタッチメント一体カードが供給され、アタッチメント一体カードにおける薄型シート媒体の印字面側及び情報面側の少なくとも一方側を撮像させ、撮像された画像に基づいて、カードプリンタ用アタッチメントに設けられた識別手段を認識し、装着された薄型シート媒体の印字面が基部側に装着されているのではなく、且つ、当該印字面がカードプリンタの備える印字部の配置側に位置されているか否かを判別させ、薄型シート媒体の印字面が基部側に装着されているのではなく、且つ、当該印字面がカードプリンタの備える印字部の配置側に位置されていると判別されたときに、当該薄型シート媒体の印字面に所定情報を印字させる印字方法の構成とすることにより、カードプリンタ用アタッチメントを用いて薄型シート媒体の搬送支障を回避して印字させることができ、また、当該カードプリンタ用アタッチメントの基部の厚さを適宜設定することで通常の硬質性のカードに対応しているカードプリンタであっても印字ヘッドの位置を調整することなく確実に印字させることができると共に、カードプリンタで印字させる際に識別手段を認識させて装着された薄型シート媒体の印字面が基部側に装着されているのではなく、且つ、当該印字面がカードプリンタの備える印字部の配置側に位置されているか否かを判別させることで、薄型シート媒体の印字面に確実に印字させることができるものである。
【図面の簡単な説明】
【００１４】
【図１】本発明に係るカードプリンタ用アタッチメントにおける第１実施形態の構成図である。
【図２】図１のカードプリンタ用アタッチメントの製造に関する説明図である。
【図３】図１のカードプリンタ用アタッチメントを使用する薄型シート媒体の説明図である。
【図４】図１のカードプリンタ用アタッチメントへの薄型シート媒体の装着形態の説明図である。
【図５】図１のカードプリンタ用アタッチメントを使用して印字するカードプリンタの一例のブロック構成図である。
【図６】図１のカードプリンタ用アタッチメントにおける第１実施形態の他の構成例の説明図（１）である。
【図７】図１のカードプリンタ用アタッチメントにおける第１実施形態の他の構成例の説明図（２）である。
【図８】本発明に係るカードプリンタ用アタッチメントにおける第２実施形態の構成図である。
【図９】図１のカードプリンタ用アタッチメントにおける第２実施形態の他の構成例の説明図である。
【図１０】本発明に係るカードプリンタ用アタッチメントにおける第３実施形態の構成図である。
【図１１】図１のカードプリンタ用アタッチメントにおける第３実施形態の他の構成例の説明図である。
【発明を実施するための形態】
【００１５】
以下、本発明の実施形態を図により説明する。本実施形態における各図における各断面図は構造を理解しやすいように寸法を無視している。
【００１６】
図１に本発明に係るカードプリンタ用アタッチメントにおける第１実施形態の構成図を示すと共に、図２に図１のカードプリンタ用アタッチメントの製造に関する説明図を示す。図１において、図１（Ａ）はカードプリンタ用アタッチメントの外観図、図１（Ｂ）はカードプリンタ用アタッチメントの平面図、図１（Ｃ）はカードプリンタ用アタッチメントの底面図、図１（Ｄ）は図１（Ａ）のＡ−Ａ断面図、図１（Ｅ）は図１（Ａ）のＢ−Ｂ断面図、図１（Ｆ）は図１（Ａ）のＣ−Ｃ断面図を示したものである。
【００１７】
図１（Ａ）〜（Ｆ）において、カードプリンタ用アタッチメント１１は、後述する図３の可撓性の薄型シート媒体を載置させる適宜設定した厚さとした長方矩形状で硬質性の基部１２と、当該薄型シート媒体を保持する保持部として、当該基部１２における対向する辺に設けられ、薄型シート媒体の対応する辺を嵌合保持する第１嵌合溝１５Ａ及び第２嵌合溝１５Ｂを形成させる第１嵌合部材１３Ａ及び第２嵌合部材１３Ｂで構成される。第１嵌合部材１３Ａ、第２嵌合部材１３Ｂのそれぞれは、後に装着する薄型シート媒体の印字面における印字領域に掛からない長さで形成される。なお、上記硬質性に関しては、撓ませた場合に手を離すと元に戻るものでも、撓み性がないものでも構わない。
【００１８】
詳述すると、上記基部１２における短辺側の対向する両方の辺の略全域に、嵌合溝を形成させるための第１スペーサ１４Ａ及び第２スペーサ１４Ｂが設けられ、当該第１スペーサ１４Ａ及び第２スペーサ１４Ｂ上に、これらより内側に長い第１嵌合部材１３Ａ及び第２嵌合部材１３Ｂがそれぞれ設けられる。例えば、第１スペーサ１４Ａ及び第２スペーサ１４Ｂの長さを２．１ｍｍとした場合に、第１嵌合部材１３Ａ及び第２嵌合部材１３Ｂの長さを５．５ｍｍとする。また、第１嵌合部材１３Ａ及び第２嵌合部材１３Ｂの両端をＲ形状として丸みを帯びさせている。特に、薄型シート媒体の挿入側となる端部側をＲ形状とすることで挿入し易くする効果がある。
【００１９】
当該基部１２上において、第１嵌合部材１３Ａ及び第１スペーサ１４Ａにより第１嵌合溝１５Ａが形成され、第２嵌合部材１３Ｂ及び第２スペーサ１４Ｂにより第２嵌合溝１５Ｂが形成される。第１嵌合溝１５Ａと第２嵌合溝１５Ｂとにより対向嵌合溝が構成され、上記第１嵌合部材１３Ａ、第１スペーサ１４Ａ及び第１嵌合溝１５Ａと、第２嵌合部材１３Ｂ、第２スペーサ１４Ｂ及び第２嵌合溝１５Ｂとにより対向嵌合部が構成される。
【００２０】
上記基部１２は、図３に示す薄型シート媒体が嵌合保持されたときに、薄型シート媒体の当該基部１２に接する面に形成されているシート情報が視認可能な透明度で形成されるもので、ここでの透明度とは視認可能な程度としての意味合いである。具体的には、基部１２は、例えば厚さ０．５ｍｍのポリエチレンテレフタレート（ＰＥＴ）や塩化ビニルなどの樹脂部材により硬質かつ透明又は半透明で形成される。当該基部１２をこのように形成することは、後にカードプリンタで印字する際に上記シート情報などを撮像するためである（図５で説明する）。
【００２１】
また、上記第１嵌合部材１３Ａ及び第２嵌合部材１３Ｂは、例えば厚さ０．１ｍｍの上記基部１２と同じ部材で形成される。上記第１スペーサ１４Ａ及び第２スペーサ１４Ｂは、例えば透明接着剤により、例えば厚さ０．２５ｍｍで形成される。
【００２２】
なお、上記第１スペーサ１４Ａ及び第２スペーサ１４Ｂの厚さは各嵌合溝の高さとなることから、薄型シート媒体２１の厚みによって設定されるものであるが、例えば厚みが０．１２ｍｍ〜０．１４ｍｍの薄型シート媒体２１であっても、当該薄型シート媒体２１では撓みやカール、シート作製におけるミシン線分離によるエッジ変形の現象が生じており、上記０．２５ｍｍで形成しても第１嵌合溝１５Ａ及び第２嵌合溝１５Ｂで確実に嵌合保持できるものである。
【００２３】
すなわち、基部１２及び第１嵌合部材１３Ａ、第２嵌合部材１３Ｂの全体の厚さを、嵌合保持した薄型シート媒体２１を含めた厚さが硬質性のカード（例えば運転免許証）と同等の厚さとなるようにして形成することにより、当該カードに対応しているカードプリンタにおいて印字ヘッドを位置調整することなく印字することできるものである。
【００２４】
また、第１嵌合部材１３Ａの一端側であって、上記第１スペーサ１４Ａに掛からない位置に識別手段である塗りつぶし円形状の第１識別マーク１６Ａが設けられると共に、第２嵌合部材１３Ｂにおける第１識別マークの対角上の一端側であって、上記第２スペーサ１４Ｂに掛からない位置に識別手段である塗りつぶし円形状の第１識別マーク１６Ｂが設けられる。すなわち、識別手段である第１識別マーク１６Ａ，１６Ｂは、基部１２上に後述の薄型シート媒体を載置させたときに、当該薄型シート媒体の印字面側よりのみ視認可能となるものである。
【００２５】
そこで、カードプリンタ用アタッチメント１１の作製について説明すると、まず、図２（Ａ）に示すように、基部１２上の短辺側の対向する辺の全域に第１スペーサ１４Ａ及び第２スペーサ１４Ｂとなる透明接着剤を塗布する。
【００２６】
そして、上記透明接着剤が固化する前に、図２（Ｂ）に示すように、第１スペーサ１４Ａとなる透明接着剤上に上記第１識別マーク１６Ａが形成された第１嵌合部材１３Ａを接着させ、第２スペーサ１４Ｂとなる透明接着剤上に上記第１識別マーク１６Ｂが形成された第２嵌合部材１３Ｂを接着させて乾燥固化させることでそれぞれに第１嵌合溝１５Ａ及び第２嵌合溝１５Ｂが形成されるものである。なお、上記透明接着剤に紫外線硬化型を用いることで速やかに固化させることができるものである。
【００２７】
なお、この実施形態では、第１嵌合溝１５Ａ及び第２嵌合溝１５Ｂを、第１スペーサ１４Ａ及び第２スペーサ１４Ｂと、第１嵌合部材１３Ａ及び第２嵌合部材１３Ｂとにより形成させた場合を示したが、基部１２に一体的に延長部を設け、当該延長部を折り曲げて形成してもよい。また、薄型シート媒体を保持する保持部として、上記対向嵌合部に代えて、再剥離性の粘着剤を基部１２上に設けることとしてもよく、この場合の第１識別マーク１６Ａ，１６Ｂを、基部１２に延長部を設けて形成すればよい（他の実施形態についても同様である）。
【００２８】
ここで、図３に図１のカードプリンタ用アタッチメントを使用する薄型シート媒体の説明図を示すと共に、図４に図１のカードプリンタ用アタッチメントへの薄型シート媒体の装着形態の説明図を示す。薄型シート媒体２１は、例えば短辺約５４ｍｍ、長辺約８５ｍｍ（およそ運転免許証と同大）の大きさとした、例えば紙製のものであり、図３（Ａ）に示すように、一方面が情報面２２Ａであり、所有者の氏名等の情報が表記されている。一方、図３（Ｂ）に示すように、薄型シート媒体２１の他方面が印字領域となる印字面２２Ｂであり、例えば情報面２２Ａに表記された情報に変更があった場合に、変更情報を印字面２２Ｂに印字させるものである。
【００２９】
そこで、図４（Ａ）に示すように、薄型シート媒体２１を、印字面２２Ｂを上面（基部１２と接しない面）にして、両方の短辺部分をカードプリンタ用アタッチメント１１の第１嵌合部材１３Ａ及び第２嵌合部材１３Ｂで形成される第１嵌合溝１５Ａ及び第２嵌合溝１５Ｂに長辺側の一の辺より差し込む。
【００３０】
そして、図４（Ｂ）に示すように、差し込んだ基部１２上で第１嵌合溝１５Ａ及び第２嵌合溝１５Ｂにより嵌合保持されることとなり、アタッチメント一体カード２３となる。このアタッチメント一体カード２３は、例えば第１嵌合部１３Ａ側を先端としてカードプリンタに供給させることとなる。
【００３１】
続いて、図５に、図１のカードプリンタ用アタッチメントを使用して印字するカードプリンタの一例のブロック構成図を示す。図５において、カードプリンタ３０は、カード供給側より概略して、順次、カード供給部３１、読取処理手段であるカード読取部３２、撮像処理手段である撮像部３３及び印字処理手段である印字部３４を備えて構成される。すなわち、カードプリンタ用アタッチメント１１に薄型シート媒体２１が装着されたアタッチメント一体カード２３が挿入され、カード供給部３１よりカード読取部３２等に順次供給される。
【００３２】
上記カード読取部３２は、印字処理等の対象がＩＣチップを備えるカード類に対して通信によりカード情報を読み取って真贋判定行う場合の要素であり、薄型シート媒体２１（アタッチメント一体カード２３）に対しては、ＩＣチップを備える場合には機能し、ＩＣチップを備えない薄型シート媒体２１（アタッチメント一体カード２３）に対しては機能させない。
【００３３】
上記撮像部３３は、例えばアタッチメント一体カード２３における薄型シート媒体２１の情報面２２Ａを撮像する第１ラインセンサと、印字面２２Ｂを撮像する第２ラインセンサとを上下対向して備えるスキャナである。なお、処理内容に応じて一方のスキャンデータしか使用しない場合もあるが、常に両方を撮像することとしてもよく、当該処理内容に応じて一方のラインセンサだけによる撮像設定でもよい。
【００３４】
上記印字部３４は、印字ヘッド４１及び熱転写フィルムユニット４２を含んで構成され、当該印字ヘッド４１に熱転写フィルムユニット４２より供給される熱転写フィルム４３が懸架され、印字位置に搬送されてきた薄型シート媒体２１の印字面２２Ｂ上に後述の制御部から印字ヘッド４１への印字制御信号に応じて印字する。なお、印字部３４をインクジェット式のもので構成してもよい。
【００３５】
上記カードプリンタ３０は、制御部３５を備える。当該制御部３５は、種々の制御プログラムや機能プログラムを備え、アタッチメント一体カード２３の搬送に関する駆動制御を行うと共に（図示せず）、一般的なＩＣチップを備える硬質性の非接触型カードやＩＣチップを備える可撓性の薄型シート媒体２１（アタッチメント一体カード２３）を処理対象とする場合に、カード読取部３２で読み取られたカード読取データのカード情報を取得し、当該カード情報に基づいて当該カードや当該薄型シート媒体２１が正規品であるかどうかの真贋判定を行う。
【００３６】
また、制御部３５は、撮像部３３（薄型シート媒体２１の情報面を撮像する第１ラインセンサ、印字面を撮像する第２ラインセンサ）よりスキャンデータ（撮像データ）を取得し、印字部３４に対して印字制御信号を出力する。さらに、制御部３５は、外部制御装置とデータ授受可能に接続される。外部制御装置としてはディスプレイを備えるコンピュータであり、カードプリンタ３０に対応するアプリケーションソフトを備える。
【００３７】
すなわち、制御部３５が撮像部３３より取得したスキャンデータはディスプレイに表示され、操作者によって第２ラインセンサ（印字面用）のスキャンデータにおいてアタッチメント一体カード２３におけるカードプリンタ用アタッチメント１１に形成された第１識別マーク１６Ａ，１６Ｂが撮像されているか、印字面２２Ｂが撮像されているかが判別される。当該第１識別マーク１６Ａ，１６Ｂ及び印字面２２Ｂが撮像されていることは、カードプリンタ用アタッチメント１１に薄型シート媒体２１の印字面２２Ｂが基部１２側に装着されているのではなく、換言すれば情報面２２Ａが基部１２側にして正しく装着されていることを意味し、当該印字面２２Ｂがカードプリンタ３０の備える印字部３４の配置側に位置されてカード供給部３１に正しく挿入されたことを意味する。
【００３８】
そして、操作者が、薄型シート媒体２１の印字面２２Ｂが基部１２側ではなく、且つ、当該印字面２２Ｂがカードプリンタ３０の備える印字部３４の配置側に位置されていると判別したときに、当該薄型シート媒体２１の印字面２２Ｂに所定情報を印字させるべく印字内容の印字データを制御部３５に送出することで、当該制御部３５が印字タイミングに沿って印字制御信号により印字ヘッド４１を駆動制御して当該薄型シート媒体２１の印字面２２Ｂに当該所定情報を印字させるものである。
【００３９】
なお、上記第２ラインセンサのスキャンデータにおいて印字面２２Ｂ及び第１識別マーク１６Ａ，１６Ｂの少なくともどちらかが撮像されていない場合には、アタッチメント一体カード２３をカードプリンタ３０の挿入口に返送させ又は排出部に排出させることとすればよい。詳細には、第１識別マーク１６Ａ，１６Ｂが撮像されていないときにはカードプリンタ３０にアタッチメント一体カード２３の上面、下面が逆に挿入されたことを認識させることができ、印字面２２Ｂが撮像されていないときにはカードプリンタ用アタッチメント１１に薄型シート媒体２１が情報面２２Ａ、印字面２２Ｂを逆として装着されていたことを認識させることができるものである。
【００４０】
また、制御部３５は、さらに、アタッチメント一体カード２３の印字面２２Ｂへの印字後に、当該印字面２２Ｂを撮像部３３（第２ラインセンサ）で撮像させ、当該印字面２２Ｂの画像を印字内容と共にディスプレイに表示させることで操作者による内容確認を行わせることとしてもよい。
【００４１】
ところで、上述した判別等を操作者が行う場合として説明したが、制御部３５に上記判別処理等を行うプログラム、例えばマーク認識プログラム、印字面認識プログラムや判別プログララムを備えさせることとしてもよい。
【００４２】
一方、カードプリンタ３０に対して、第２ラインセンサによるスキャンデータで第１識別マーク１６Ａ，１６Ｂ及び薄型シート媒体２１の印字面２２Ｂが撮像されていても、挿入されるアタッチメント一体カード２３の挿入先端が異なれば印字方向も異なることになる。この場合、例えば撮像部３３における第１ラインセンサ（情報面用）による薄型シート媒体２１の情報面２２Ａのスキャンデータに基づいて当該情報面２２Ａの掲載方向に応じて印字方向を設定させればよい。このことは、操作者によって設定させることとしてもよく、制御部３５に情報面認識プログラムを備えさせることとしてもよい。
【００４３】
ここで、カードプリンタ３０の一連の動作を簡潔に説明すると、まず、カードプリンタ用アタッチメント１１に薄型シート媒体２１が装着されたアタッチメント一体カード２３が、薄型シート媒体２１を嵌合保持した上記対向嵌合部（第１嵌合部材１３Ａ側又は第２嵌合部材１３Ｂ側）の一方を当該プリンタに対する先端として挿入され、カード供給部３１よりカード読取部３２等に順次供給される。供給されたアタッチメント一体カード２３は、ＩＣチップを備える場合にはカード読取部３２で真贋が判定され（当該カード読取部３２による真贋判定は印字工程の最後でもよい）、撮像部３３に供給される。
【００４４】
撮像部３３においてアタッチメント一体カード２３における薄型シート媒体２１の少なくとも印字面２２Ｂを撮像させ、当該撮像データに基づいて薄型シート媒体２１の印字面２２Ｂが基部１２側に装着されているのではなく、且つ、当該印字面２２Ｂがカードプリンタ３０の備える印字部の配置側に位置されているが確認され、印字部３４においてアタッチメント一体カード２３における薄型シート媒体２１の撮像で確認された印字面２２Ｂに所定情報を印字させるものである。また、印字処理を行った後に、再度印字面２２Ｂを撮像させることで印字内容が確実に印字されたかを確認させることができるものである。
【００４５】
このように、カードプリンタ用アタッチメント１１を用いて薄型シート媒体２１の搬送支障を回避して印字させることができ、また、当該カードプリンタ用アタッチメント１１の基部１２の厚さを適宜設定することで通常の硬質性のカードに対応しているカードプリンタであっても印字ヘッドの位置を調整することなく確実に印字させることができるものである。そして、カードプリンタ３０で印字させる際に第１識別マーク１６Ａ，１６Ｂを認識させて装着された薄型シート媒体２１の印字面２２Ｂが基部１２側に装着されているのではなく、且つ、当該印字面２２Ｂがカードプリンタ３０の備える印字部３４の配置側に位置されているか否かを判別させることで、薄型シート媒体２１の印字面２２Ｂに確実に印字させることができるものである。
【００４６】
ところで、上記実施形態において、第１識別マーク１６Ａ，１６Ｂのそれぞれを第１嵌合部材１３Ａ、第２嵌合部材１３Ｂの一端側に設けることは、薄型シート媒体２１に形成されている文字に重ならないようにして誤認識を防止するためであり、できるだけ隅側に形成することが望ましいためである。また、第１嵌合部材１３Ａ及び第２嵌合部材１３Ｂのそれぞれに対角上対象に第１識別マーク１６Ａ，１６Ｂを設けることは、薄型シート媒体２１を嵌合保持させた際に、仮に非対称な１か所とすると、使用者にカードプリンタ３０に対してどちらが挿入先端となるかを意識させることとなることから、使用者に対して挿入方向側について過剰な意識を持たせないためである。これらのことは、以下の実施形態においても同様である。
【００４７】
次に、図６及び図７に図１のカードプリンタ用アタッチメントにおける第１実施形態の他の構成例の説明図を示す。図６（Ａ）はカードプリンタ用アタッチメントの平面図、図６（Ｂ）はカードプリンタ用アタッチメントの底面図、図６（Ｃ）は図６（Ａ）のＤ−Ｄ断面図、図６（Ｄ）は図６（Ａ）のＥ−Ｅ断面図、図７（Ａ）はカードプリンタ用アタッチメントの平面図、図７（Ｂ）はカードプリンタ用アタッチメントの底面図、図７（Ｃ）は図７（Ａ）のＦ−Ｆ断面図、図７（Ｄ）は図７（Ａ）のＧ−Ｇ断面図である。なお、図６及び図７における基部１２、第１嵌合部材１３Ａ、第２嵌合部材１３Ｂ、第１スペーサ１４Ａ、第２スペーサ１４Ｂ、第１嵌合溝１５Ａ、第２嵌合溝１５Ｂは、図１と同様である。
【００４８】
図６（Ａ）〜（Ｄ）において、識別手段としての直線状の第２識別マーク１７Ａを、基部１２における第１嵌合部材１３Ａの裏面（すなわち、基部１２の底面）であって、当該第１嵌合部材１３Ａに掛からない位置に対応した端部側に設け、また、識別手段としての直線状の第２識別マーク１７Ｂを、基部１２における第２嵌合部材１３Ｂの裏面であって、当該第２嵌合部材１３Ｂに掛からない位置に対応した端部側に設けたものである。
【００４９】
上記第２識別マーク１７Ａ，１７Ｂは、カードプリンタ用アタッチメント１１に薄型シート媒体２１が装着されたときには、底面側（情報面２２Ａ側）からは視認することができ、平面側（印字面２２Ｂ側）からは視認することができないものとしたもので、当該第２識別マーク１７Ａ，１７Ｂは上記カードプリンタ３０の撮像部３３の第１ラインセンサ（情報面用）で撮像され、第２ラインセンサ（印字面用）では撮像されないこととなる。
【００５０】
すなわち、第２識別マーク１７Ａ，１７Ｂが第１ラインセンサによって撮像されているときにはカードプリンタ３０にアタッチメント一体カード２３における印字面側がカードプリンタ３０の備える印字部３４の配置側に位置された状態で正しく挿入されたことを認識させることができ、印字面２２Ｂが第２ラインセンサによって撮像されているときにはカードプリンタ用アタッチメント１１に薄型シート媒体２１が情報面２２Ａを基部１２側として正しく装着されていたことを認識させることができるものである。
【００５１】
また、図７（Ａ）〜（Ｄ）において、識別手段としての直線状の第２識別マーク１７Ａを、基部１２における第１嵌合部材１３Ａの形成側（すなわち、基部１２の平面側）であって、当該第１嵌合部材１３Ａに掛からない位置に対応した端部側に設けられ、また、識別手段としての直線状の第２識別マーク１７Ｂを、基部１２における第２嵌合部材１３Ｂの形成側の当該第２識別マーク１７Ａの対角上であって、当該第２嵌合部材１３Ｂに掛からない位置に対応した端部側に設けられたものである。
【００５２】
上記第２識別マーク１７Ａ，１７Ｂは、カードプリンタ用アタッチメント１１に薄型シート媒体２１が装着されたときには、基部１２が透明であることから、底面側（情報面２２Ａ側）からは視認することができ、平面側（印字面２２Ｂ側）からは視認することができないものとしたもので、当該第２識別マーク１７Ａ，１７Ｂは上記カードプリンタ３０の撮像部３３の第１ラインセンサ（情報面用）で撮像され、第２ラインセンサ（印字面用）では撮像されないこととなる。
【００５３】
すなわち、第２識別マーク１７Ａ，１７Ｂが第１ラインセンサによって撮像されているときにはカードプリンタ３０にアタッチメント一体カード２３における印字面側がカードプリンタ３０の備える印字部３４の配置側に位置された状態で正しく挿入されたことを認識させることができ、印字面２２Ｂが第２ラインセンサによって撮像されているときにはカードプリンタ用アタッチメント１１に薄型シート媒体２１が情報面２２Ａを基部１２側として正しく装着されていたことを認識させることができるものである。
【００５４】
このように、識別手段としての第２識別マーク１７Ａ，１７Ｂを基部１２に設けても、上記同様の効果を奏することができるものである。なお、第２識別マーク１７Ａ，１７Ｂを透明な第１嵌合部材１３Ａ及び第２嵌合部材１３Ｂの裏側（第１嵌合溝１５Ａ側、第２嵌合溝１５Ｂ側）に設けてもよいが、図１に示す第１識別マーク１６Ａ，１６Ｂと同様の機能となる。
【００５５】
次に、図８に本発明に係るカードプリンタ用アタッチメントにおける第２実施形態の構成図を示すと共に、図９に図１のカードプリンタ用アタッチメントにおける第２実施形態の他の構成例の説明図を示す。図８（Ａ）はカードプリンタ用アタッチメントの平面図、図８（Ｂ）はカードプリンタ用アタッチメントの底面図、図８（Ｃ）は図８（Ａ）のＨ−Ｈ断面図、図８（Ｄ）は図８（Ａ）のＩ−Ｉ断面図、図９（Ａ）はカードプリンタ用アタッチメントの平面図、図９（Ｂ）はカードプリンタ用アタッチメントの底面図、図９（Ｃ）は図９（Ａ）のＪ−Ｊ断面図、図９（Ｄ）は図９（Ａ）のＫ−Ｋ断面図である。なお、図８及び図９における基部１２、第１嵌合部材１３Ａ、第２嵌合部材１３Ｂ、第１スペーサ１４Ａ、第２スペーサ１４Ｂ、第１嵌合溝１５Ａ、第２嵌合溝１５Ｂは、図１と同様である。
【００５６】
図８（Ａ）〜（Ｄ）において、識別手段としての２次元バーコード（１次元パーコードでも同様である）の第３識別マーク１８Ａを、基部１２における第１嵌合部材１３Ａの裏面（すなわち、基部１２の底面）であって、少なくとも第１スペーサ１４Ａに掛からない位置に対応した端部側に設けられ、また、識別手段としての同じ情報内容の２次元バーコード（１次元パーコードでも同様である）の第３識別マーク１８Ｂを、基部１２における第２嵌合部材１３Ｂの裏面の当該第３識別マーク１８Ａの対角上であって、少なくとも第１スペーサ１４Ａに掛からない位置に対応した端部側に設けられたものである。
【００５７】
上記第３識別マーク１８Ａ，１８Ｂは、カードプリンタ用アタッチメント１１に薄型シート媒体２１が装着されたときには、底面側（情報面２２Ａ側）からは視認することができ、平面側（印字面２２Ｂ側）からは視認することができないものとしたもので、当該第２識別マーク１７Ａ，１７Ｂは上記カードプリンタ３０の撮像部３３の第１ラインセンサ（情報面用）で撮像され、第２ラインセンサ（印字面用）では撮像されないこととなる。
【００５８】
この場合、上記制御部３５は、２次元バーコードの第３識別マーク１８Ａ，１８Ｂを認識するプログラムを備えるもので、当該２次元バーコードに所定の情報（例えば情報面などの情報等）を備えさせておけば、例えば撮像表示上で認識させ易くすることができるものである。
【００５９】
すなわち、第３識別マーク１８Ａ，１８Ｂが撮像部３３における第１ラインセンサによって撮像されているときにはカードプリンタ３０にアタッチメント一体カード２３における印字面側がカードプリンタ３０の備える印字部３４の配置側に位置された状態で正しく挿入されたことを認識させることができ、印字面２２Ｂが第２ラインセンサによって撮像されているときにはカードプリンタ用アタッチメント１１に薄型シート媒体２１が情報面２２Ａを基部１２側として正しく装着されていたことを認識させることができるものである。
【００６０】
また、図９（Ａ）〜（Ｄ）において、上記識別手段としての２次元バーコードの第３識別マーク１８Ａ、１８Ｂを設けるにあたり、基部１２との間にそれぞれ不透光の下地印刷部１９Ａ，１９Ｂを介在させたもので、他の構成は図８（Ａ）〜（Ｄ）と同様である。これによって、撮像部３３における第１ライセンサの画像データより２次元バーコードの情報を確実に読み取らせることができるものである。
【００６１】
このように、識別手段としての２次元バーコードのような情報を含ませることできる第３識別マーク１８Ａ，１８Ｂを基部１２に設けることにより、上記同様の効果を奏することができると共に、挿入されたアタッチメント一体カード２３の状態を容易に確認させることができるものである。
【００６２】
次に、図１０に本発明に係るカードプリンタ用アタッチメントにおける第３実施形態の構成図を示すと共に、図１１に図１のカードプリンタ用アタッチメントにおける第３実施形態の他の構成例の説明図を示す。図１０（Ａ）はカードプリンタ用アタッチメントの平面図、図１０（Ｂ）はカードプリンタ用アタッチメントの底面図、図１０（Ｃ）は図１０（Ａ）のＬ−Ｌ断面図、図１０（Ｄ）は図１０（Ａ）のＭ−Ｍ断面図、図１１（Ａ）はカードプリンタ用アタッチメントの平面図、図１１（Ｂ）はカードプリンタ用アタッチメントの底面図、図１１（Ｃ）は図１１（Ａ）のＮ−Ｎ断面図である。なお、図１０及び図１１における基部１２、第１嵌合部材１３Ａ、第２嵌合部材１３Ｂ、第１スペーサ１４Ａ、第２スペーサ１４Ｂ、第１嵌合溝１５Ａ、第２嵌合溝１５Ｂの配置構成は、図１と同様である。
【００６３】
図１０（Ａ）〜（Ｄ）において、第１スペーサ１４Ａ−１及び第２スペーサ１４Ｂ−１を、不透光の接着剤により形成し、当該第１スペーサ１４Ａ−１上の一端側に印刷により、例えば不透光のインキにより第４識別マーク２０Ａを設け、第２スペーサ１４Ｂ−１上であって、第４識別マーク２０Ａに対して対角上の一端側に印刷により、同様の不透光のインキにより第４識別マーク２０Ｂを設けたものである。なお、印刷により形成される第４識別マーク２０Ａ，２０Ｂのインク厚は数μｍ程度であり、上記第１スペーサ１４Ａ−１及び第２スペーサ１４Ｂ−１の厚さに対して無視できるものである。
【００６４】
上記第４識別マーク２０Ａ，２０Ｂは、カードプリンタ用アタッチメント１１に薄型シート媒体２１が装着されたときには、平面側（印字面２２Ｂ側）からは視認することができ、底面側（情報面２２Ａ側）からは不透光の第１スペーサ１４Ａ−１及び第２スペーサ１４Ｂ−１により視認することができないものとしたもので、それぞれが上記カードプリンタ３０の撮像部３３の第２ラインセンサ（印字面用）で撮像され、第１ラインセンサ（情報面用）では撮像されないこととなる。
【００６５】
すなわち、第４識別マーク２０Ａ，２０Ｂが第２ラインセンサによって撮像されているときにはカードプリンタ３０にアタッチメント一体カード２３における印字面側がカードプリンタ３０の備える印字部３４の配置側に位置された状態で正しく挿入されたことを認識させることができ、印字面２２Ｂが第２ラインセンサによって撮像されているときにはカードプリンタ用アタッチメント１１に薄型シート媒体２１が情報面２２Ａを基部１２側として正しく装着されていたことを認識させることができるものである。
【００６６】
また、図１１（Ａ）〜（Ｃ）において、第１スペーサ１４Ａ−１及び第２スペーサ１４Ｂ−１を、不透光の接着剤により形成することが図１０と同様である。これに伴い、第１スペーサ１４Ａ−１及び第２スペーサ１４Ｂ−２上のそれぞれに識別手段として有色の第１嵌合部材１３Ａ−１及び有色の第２嵌合部材１３Ｂ−１を設けて、第１嵌合溝１５Ａ及び第２嵌合溝１５Ｂを形成させたものである。なお、第１嵌合部材１３Ａ−１及び第２嵌合部材１３Ｂ−１の一方のみを有色としてもよい。
【００６７】
すなわち、有色の第１嵌合部材１３Ａ−１及び有色の第２嵌合部材１３Ｂ−１が第２ラインセンサ（印字面用）によって撮像されているときにはカードプリンタ３０にアタッチメント一体カード２３における印字面側がカードプリンタ３０の備える印字部３４の配置側に位置された状態で正しく挿入されたことを認識させることができ、印字面２２Ｂが第２ラインセンサによって撮像されているときにはカードプリンタ用アタッチメント１１に薄型シート媒体２１が情報面２２Ａを基部１２側として正しく装着されていたことを認識させることができるものである。
【００６８】
このように、有色の第１嵌合部材１３Ａ−１及び有色の第２嵌合部材１３Ｂ−１を識別手段とすることによっても、上記同様の効果を奏することができるものである。
【産業上の利用可能性】
【００６９】
本発明のカードプリンタ用アタッチメント及びそのアタッチメント使用する印字方法は、薄型シート媒体に印字を行う業態の産業分野利用可能である。
【符号の説明】
【００７０】
１１              カードプリンタ用アタッチメント
１２              基部
１３Ａ            第１嵌合部材
１３Ｂ            第２嵌合部材
１４Ａ            第１スペーサ
１４Ｂ            第２スペーサ
１５Ａ            第１嵌合溝
１５Ｂ            第２嵌合溝
１６Ａ，１６Ｂ    第１識別マーク
１７Ａ，１７Ｂ    第２識別マーク
１８Ａ，１８Ｂ    第３識別マーク
１９Ａ，１９Ｂ    下地印刷部
２０Ａ，２０Ｂ    第４識別マーク
２１              薄型シート媒体
２２Ａ            情報面
２２Ｂ            印字面
２３              アタッチメント一体カード
３０              カードプリンタ
３１              カード供給部
３２              カード読取部
３３              撮像部
３４              印字部
４１              印字ヘッド
４２              熱転写フィルムユニット
４３              熱転写フィルム
【図１】
0006537367.tif 000002
【図２】
0006537367.tif 000003
【図３】
0006537367.tif 000004
【図４】
0006537367.tif 000005
【図５】
0006537367.tif 000006
【図６】
0006537367.tif 000007
【図７】
0006537367.tif 000008
【図８】
0006537367.tif 000009
【図９】
0006537367.tif 000010
【図１０】
0006537367.tif 000011
【図１１】
0006537367.tif 000012